【手続補正書】
【提出日】平成16年7月9日(2004.7.9)
【手続補正１】
【補正対象書類名】明細書
【補正対象項目名】全文
【補正方法】変更
【補正の内容】
【書類名】明細書
【発明の名称】外装型電磁波シールド建造物、外装型電磁波シールド階層建物、外装型電磁波シールド建造物の外壁構造、外装型電磁波シールド建造物用型材の製造方法、外装型電磁波シールド建造物の窓部構造、及び外装型電磁波シールドカーテンウォールの腰部構造
【特許請求の範囲】
【請求項１】建造物の対象の電磁波シールド高さ範囲の外装面全体が複数の導電性金属パネルで構成され、
各導電性金属パネル相互が導電状態で接続されて電磁波シールド外装面が形成され、この電磁波シールド外装面が電磁波シールド空間の壁面を構成していることを特徴とする外装型電磁波シールド建造物。
【請求項２】建造物の対象の電磁波シールド高さ範囲の外装面が、導電性金属パネル、導電性開口部枠、及びこの開口部枠内に設けられる導電性面板により外装面が形成され、
対象の電磁波シールド高さ範囲の外装面において、前記導電性金属パネル、導電性開口部枠、及び導電性面板が導電状態で接続されて電磁波シールド外装面が形成され、この電磁波シールド外装面が電磁波シールド空間の壁面を構成していることを特徴とする外装型電磁波シールド建造物。
【請求項３】建造物のカーテンウォール構造の外壁において、
前記カーテンウォール構造の外壁は、導電性の骨組み部材を支持部材として、導電性金属パネル、導電性窓枠、及びその窓枠開口部内に設けられる電磁波シールドガラスにより外装面が形成され、
対象の電磁波シールド高さ範囲の外装面において、前記導電性金属パネル、導電性窓枠、及び電磁波シールドガラスが導電状態で接続されて電磁波シールド外装面が形成され、この電磁波シールド外装面が電磁波シールド空間の壁面を構成していることを特徴とする外装型電磁波シールド建造物。
【請求項４】階層建物の複数階が前記電磁波シールド空間とされたものであって、
前記電磁波シールド空間とされる最下階の床スラブ全体、及び電磁波シールド空間とされる最上階の天井スラブまたは屋上全体に、スラブ用電磁波シールド材が取り付けられ、
これらが前記壁面と導電状態で接続されて、
前記電磁波シールド空間が構成されている請求項１〜３のいずれか１項に記載の外装型電磁波シールド階層建物。
【請求項５】カーテンウォール構造の外壁及び屋上を有し、
前記カーテンウォール構造の外壁は、導電性の骨組み部材を支持部材として、導電性金属パネル、導電性窓枠、及びその窓枠開口部内に設けられる電磁波シールドガラスにより外装面が形成され、
対象の電磁波シールド高さ範囲の外装面において、前記導電性金属パネル、導電性窓枠、及び電磁波シールドガラスが導電状態で接続されて電磁波シールド外装面が形成され、この電磁波シールド外装面が電磁波シールド空間の壁面を構成しており、
前記屋上には電磁波シールドシート及び笠木が設けられ、
前記電磁波シールドシートと笠木とが、しかも笠木と前記壁面とが導電状態で接続されて、
前記電磁波シールド空間が構成されていることを特徴とする外装型電磁波シールド建造物。
【請求項６】外壁を電磁波シールド状態にするものであって、
隣接する導電性金属パネル相互間に、導電性気水密部材を設けて、隙間の気水密を図るとともに導電状態に接続してある、
ことを特徴とする外装型電磁波シールド建造物の外壁構造。
【請求項７】外壁を電磁波シールド状態にするものであって、
導電性金属パネルと窓枠との間に、導電性気水密部材を設けて、隙間の気水密を図るとともに導電状態に接続してある、
ことを特徴とする外装型電磁波シールド建造物の外壁構造。
【請求項８】導電性型材に長手方向の中空部を形成した後、前記中空部内は他の部位に比較して導電性が高い状態とし、その後前記中空部の壁を長手方向に破断し、外部に露出した溝部を形成し、この溝部内面を電磁波シールド用の導電面とすることを特徴とする外装型電磁波シールド建造物用型材の製造方法。
【請求項９】四周を囲んだ導電性型材内に電磁波シールドガラスを組み込み、前記型材の内面と前記電磁波シールドガラスの導電材料との間を、導電性詰め材により導電状態に接続したことを特徴とする外装型電磁波シールド建造物の窓部構造。
【請求項１０】隣接する電磁波シールドガラスのそれぞれが、その周縁部に配置される導電性ガスケットにより保持され、隣接する電磁波シールドガラス相互が前記導電性ガスケットを介して導電状態に接続されていることを特徴とする外装型電磁波シールド建造物の窓部構造。
【請求項１１】導電性窓枠内において間隔を置いて室内外に２枚の電磁波シールドガラスを嵌めこみ、各電磁波シールドガラスと前記窓枠とを導電状態に接続したことを特徴とする外装型電磁波シールド建造物の窓部構造。
【請求項１２】耐火材の少なくとも片面に導電性金属板を設けて複合板とし、この複合板をカーテンウォールの腰部に配置し、前記複合板を保持する導電性保持部材に対して導電状態に接続したことを特徴とする外装型電磁波シールドカーテンウォールの腰部構造。
【請求項１３】耐火材の少なくとも片面全体に電磁波シールドシートまたは電磁波シールドテープを設けて電磁波シールド面材との複層板とし、この複層板をカーテンウォールの腰部に配置し、前記複層板を保持する導電性保持部材に対して導電状態に接続したことを特徴とする外装型電磁波シールドカーテンウォールの腰部構造。
【発明の詳細な説明】
【０００１】
【発明の属する技術分野】
本発明は、外装型電磁波シールド建造物、外装型電磁波シールド階層建物、外装型電磁波シールド建造物の外壁構造、外装型電磁波シールド建造物用型材の製造方法、外装型電磁波シールド建造物の窓部構造、及び外装型電磁波シールドカーテンウォールの腰部構造に関する。
【０００２】
【従来の技術】
現代における情報化社会においては、インターネット、携帯電話、ＢＳ放送、デジタル放送、無線などのさまざまな電波が空間を飛び回っている。このような電波の使用は、今後さらに増えることが予想される。
【０００３】
しかし、このことは同時に、以下のような弊害を及ぼすことになる。例えば、建物内部に高度情報化対応の電算システム機器、ＯＡ機器などを設置している場合は、建物外部からの電波により、誤動作、データの消失などの問題が生じる可能性がある。建物内で従来の配線式内線電話ではなく、ＰＨＳ方式や無線方式による内線電話を構築する場合は、外部よりの電波によって通信が影響を受ける可能性がある。劇場、スタジオなどのような音響、映像電波が飛び交う場所でも同様の可能性がある。さらに、建物内部で非常に機密性の高い情報を電波として飛び回らせている場合は、それらの情報が建物外部に漏れ、機密性の維持が図れないという問題を生じる可能性がある。
【０００４】
そこで、このような問題を解決するため、建物内部を電磁波シールド空間とする必要が生じてくる。そして、建物内部を電磁波シールド空間とする方法としては、建物のある階を対象として、その床、壁、天井等、６面全てを導電性の部材で覆い、これらをアースするという方法が知られている。
【０００５】
【発明が解決しようとする課題】
しかし、この方法は内装型の電磁波シールド法と言うべきものであり、その壁面の処理においては、外壁の内部にもう一重に設けた内壁に対し、あるいは外壁の内面に対し、電磁波シールド材を接着剤あるいは金物で人的に貼り付け、この壁面に貼り付けた電磁波シールド材を床に貼り付けた電磁波シールド材と接続するという作業が必要となる。さらに、床に貼り付ける電磁波シールド材は、床以外の部分、例えば、鉄骨階段などへ作業員により貼り付けることが必要となる。
【０００６】
したがって、コストがかかり、しかも工期は長くなるため、建造の各階すべてを電磁波シールド空間とする上での大きな負担となっている。また、この方法は、内壁を改修することを要するため、既存建物の内部を電磁波シールド空間とする場合、内部を使用しながら改装を行うわけにはいかず、改修に着手すること自体を躊躇させるとの問題もある。
【０００７】
そこで、本発明の第１の課題は、個別空間ごと電磁波シールド空間を構成するのではなく、しかも内装型でなく、外装型とすることにより、建造物全体や、階層建物の少なくとも複数階全体を外装型の電磁波シールド空間として構築することができ、コストを削減でき、工期を短縮できるようにすることにある。
【０００８】
第２の課題は、導電性を確保するに際して、外壁部分の構造に工夫を施し、簡易にかつ施工性に優れた施工が可能にすることにある。
【０００９】
他の課題については、後述の作用効果との関係で明らかにされる。
【００１０】
【課題を解決するための手段】
上記課題を解決した本発明は、次記のとおりである。
＜請求項１記載の発明＞
建造物の対象の電磁波シールド高さ範囲の外装面全体が複数の導電性金属パネルで構成され、
各導電性金属パネル相互が導電状態で接続されて電磁波シールド外装面が形成され、この電磁波シールド外装面が電磁波シールド空間の壁面を構成していることを特徴とする外装型電磁波シールド建造物。
【００１１】
＜請求項２記載の発明＞
建造物の対象の電磁波シールド高さ範囲の外装面が、導電性金属パネル、導電性開口部枠、及びこの開口部枠内に設けられる導電性面板により外装面が形成され、
対象の電磁波シールド高さ範囲の外装面において、前記導電性金属パネル、導電性開口部枠、及び導電性面板が導電状態で接続されて電磁波シールド外装面が形成され、この電磁波シールド外装面が電磁波シールド空間の壁面を構成していることを特徴とする外装型電磁波シールド建造物。
【００１２】
＜請求項３記載の発明＞
建造物のカーテンウォール構造の外壁において、
前記カーテンウォール構造の外壁は、導電性の骨組み部材を支持部材として、導電性金属パネル、導電性窓枠、及びその窓枠開口部内に設けられる電磁波シールドガラスにより外装面が形成され、
対象の電磁波シールド高さ範囲の外装面において、前記導電性金属パネル、導電性窓枠、及び電磁波シールドガラスが導電状態で接続されて電磁波シールド外装面が形成され、この電磁波シールド外装面が電磁波シールド空間の壁面を構成していることを特徴とする外装型電磁波シールド建造物。
【００１３】
（請求項１〜３の作用効果）
従来例では、図４７に示すように、電磁波シールド材２の取り付けを、電磁波シールド空間とする階を個別にその床スラブ１２ａ、天井スラブ１２ｂ及び外壁内面に行っていた。
しかるに、本発明では、図３に例示されるように、建造物（階層建物を含む）の外装面全体、または必要の階層の外装面を導電性として電磁波シールド空間の壁面を構成しているので、電磁波シールド材２の取り付け面積を大幅に減少し、電磁波シールド材２の使用量が減るとともに、工期が短縮されるので、コストが著しく下がる。しかも、改装の場合には、各フロア内での居住や勤務を阻害することなく、改装が可能である。
【００１４】
また、外装面の形成に際しては、請求項１のように、外装面全体を複数の導電性金属パネルで構成する形態と、請求項２のように、導電性金属パネル、導電性開口部枠、及びこの開口部枠内に設けられる導電性面板により構成する形態と、あるいはカーテンウォール構造の外壁とし、導電性の骨組み部材を支持部材として、導電性金属パネル、導電性窓枠、及びその窓枠開口部内に設けられる電磁波シールドガラスにより構成する形態とがある。
しかるに、これらの外装面の構成部材相互を導電状態で接続すると、外壁全体を電磁波シールド面とすることができる。
【００１５】
従来は、電磁波シールドガラスを設けるとしても、アルマイト皮膜を施した窓枠は導電性を有しないとの固定観念があったために窓枠に対して導電させることは行っておらず、電磁波シールドガラスは、窓枠や金属パネルを介在させることなく、導電性帯び材またはシート材を床に敷設した電磁波シールド材と接続していた。したがって、電磁波シールドガラスはフィックスであることが要求される。
この従来例に対して、アルマイト皮膜を施した窓枠もしくは開口部枠と、導電性金属パネルと、電磁波シールドガラスもしくは導電性面板とを、導電性シール材、導電性バッカー、導電性ガスケットなどの接続材を用いて、通常の外壁面の施工形態で組み立てたとしても、満足できる電磁波シールド性能を有することが判明した。
【００１６】
このために、導電性帯び材またはシート材を床に敷設した電磁波シールド材と接続するとしても、床に敷設した電磁波シールド材を外装面の構成部材と導電状態で接続すれば、導電性帯び材またはシート材を室内から目立たないようにできる。その結果、階を跨って対象の電磁波シールド高さ範囲の外装面を導電性とすることができる。
【００１７】
＜請求項４記載の発明＞
階層建物の複数階が前記電磁波シールド空間とされたものであって、
前記電磁波シールド空間とされる最下階の床スラブ全体、及び電磁波シールド空間とされる最上階の天井スラブまたは屋上全体に、スラブ用電磁波シールド材が取り付けられ、
これらが前記壁面と導電状態で接続されて、
前記電磁波シールド空間が構成されている請求項１〜３のいずれか１項に記載の外装型電磁波シールド階層建物。
【００１８】
（作用効果）
図４及び図５に例示されているように、階層建物について、必要な階分のみを電磁波シールド空間とすることができる。
【００１９】
＜請求項５記載の発明＞
カーテンウォール構造の外壁及び屋上を有し、
前記カーテンウォール構造の外壁は、導電性の骨組み部材を支持部材として、導電性金属パネル、導電性窓枠、及びその窓枠開口部内に設けられる電磁波シールドガラスにより外装面が形成され、
対象の電磁波シールド高さ範囲の外装面において、前記導電性金属パネル、導電性窓枠、及び電磁波シールドガラスが導電状態で接続されて電磁波シールド外装面が形成され、この電磁波シールド外装面が電磁波シールド空間の壁面を構成しており、
前記屋上には電磁波シールドシート及び笠木が設けられ、
前記電磁波シールドシートと笠木とが、しかも笠木と前記壁面とが導電状態で接続されて、
前記電磁波シールド空間が構成されていることを特徴とする外装型電磁波シールド建造物。
【００２０】
（作用効果）
屋上と外壁とを笠木を介して導電性に接続することで、電磁波シールド空間を構成できる。
【００２１】
＜請求項６記載の発明＞
外壁を電磁波シールド状態にするものであって、
隣接する導電性金属パネル相互間に、導電性気水密部材を設け、隙間の気水密を図るとともに導電状態に接続してある、
ことを特徴とする外装型電磁波シールド建造物の外壁構造。
【００２２】
（作用効果）
隣接する導電性金属パネル相互間に、導電性気水密部材を設けることで、隙間の気水密と導電状態との両者を満足させることができる。
【００２３】
＜請求項７記載の発明＞
外壁を電磁波シールド状態にするものであって、
導電性金属パネルと窓枠との間に、導電性気水密部材を設け、隙間の気水密を図るとともに導電状態に接続してある、
ことを特徴とする外装型電磁波シールド建造物の外壁構造。
【００２４】
（作用効果）
導電性金属パネルと窓枠との間に、導電性気水密部材を設けることで、隙間の気水密と導電状態との両者を満足させることができる。
【００２５】
＜請求項８記載の発明＞
導電性型材に長手方向の中空部を形成した後、前記中空部内は他の部位に比較して導電性が高い状態とし、その後前記中空部の壁を長手方向に破断し、外部に露出した溝部を形成し、この溝部内面を電磁波シールド用の導電面とすることを特徴とする外装型電磁波シールド建造物用型材の製造方法。
【００２６】
（作用効果）
一般にカーテンウォールにおけるガラス支持部材としては、アルミまたはアルミ合金製で表面にアルマイト皮膜又は焼き付け塗装処理が施されるものを使用する頻度が高い。この点、従来、アルミ自体は高導電性であるが、アルマイト皮膜などの表面処理を施すと非導電性となってしまうと考えられていた。したがって、この面から窓枠を導電部材とすることが想到されなかったものと考えられる。
しかし、導電性型材に長手方向の中空部を形成した型材を使用する場合、この型材にアルマイト皮膜処理を行うと、中空部内はアルマイト皮膜が生成されないので、アルマイト皮膜生成部に比較して高い導電性を示す。その結果、その後前記中空部の壁をこのまま破断（切断をも含む）するか、予め長手方向に沿って形成した薄肉部にて破断し、外部に露出した溝部となし、この溝部内面を電磁波シールド用の導電面とすることにより、その溝部内に電磁波シールドガラスを嵌め込めば、窓枠との導電状態を簡易に確保できる。この導電性の高い溝部は、導電接続が確実であり、より高い電磁波シールド性能が要求される場合に有効である。
【００２７】
＜請求項９記載の発明＞
四周を囲んだ導電性型材内に電磁波シールドガラスを組み込み、前記型材の内面と前記電磁波シールドガラスの導電材料との間を、導電性詰め材により導電状態に接続したことを特徴とする外装型電磁波シールド建造物の窓部構造。
【００２８】
（作用効果）
導電性詰め材を用いることにより、型材の内面と前記電磁波シールドガラスの導電材料との間を導電状態に接続することができる。
【００２９】
＜請求項１０記載の発明＞
隣接する電磁波シールドガラスのそれぞれが、その周縁部に配置される導電性ガスケットにより保持され、隣接する電磁波シールドガラス相互が前記導電性ガスケットを介して導電状態に接続されていることを特徴とする外装型電磁波シールド建造物の窓部構造。
【００３０】
（作用効果）
ガラスをガスケット主体で保持する形態においては、そのガスケットを導電性とすることにより、電磁波シールドガラスを隣接させたとしても、相互に導電状態に接続することが可能である。
【００３１】
＜請求項１１記載の発明＞
導電性窓枠内において間隔を置いて室内外に２枚の電磁波シールドガラスを嵌めこみ、各電磁波シールドガラスと前記窓枠とを導電状態に接続したことを特徴とする外装型電磁波シールド建造物の窓部構造。
【００３２】
（作用効果）
導電性窓枠内において間隔を置いて室内外に２枚の電磁波シールドガラスを嵌め込むと、一枚では電磁波シールド効果が低いとしても、窓自体では所要の電磁波シールド性能を容易に確保できる。
【００３３】
＜請求項１２記載の発明＞
耐火材の少なくとも片面に導電性金属板を設けて複合板とし、この複合板をカーテンウォールの腰部に配置し、前記複合板を保持する導電性保持部材に対して導電状態に接続したことを特徴とする外装型電磁波シールドカーテンウォールの腰部構造。
【００３４】
（作用効果）
カーテンウォールにおいては、腰部に耐火材が必要であるところ、耐火材の少なくとも片面に導電性金属板を設けて複合板とし、この複合板をカーテンウォールの腰部に配置することで、複合板を保持する導電性保持部材に対して導電状態に接続すれば、容易に導電状態を確保できる。
【００３５】
＜請求項１３記載の発明＞
耐火材の少なくとも片面全体に電磁波シールドシートまたは電磁波シールドテープを設けて電磁波シールド面材との複層板とし、この複層板をカーテンウォールの腰部に配置し、前記複層板を保持する導電性保持部材に対して導電状態に接続したことを特徴とする電磁波シールドカーテンウォールの腰部構造。
【００３６】
（作用効果）
請求項１２と同様に容易に導電状態を確保できる。
【００３７】
【発明の実施の形態】
以下、本発明の実施の形態について添付図面を参照しつつ詳説する。
＜電磁波シールド空間とするための概要＞
本発明においては、図１及び図３に示すように、建物内部全体を電磁波シールド空間とすることや、あるいは図２、図５及び図６に示すように、連続した所定の階（この例では２階から４階を電磁波シールド空間とする場合を示す。）を電磁波シールド空間とすることができる。そして、このように電磁波シールド空間とする形態は、既存の建物を改装する場合も、新築するに際してでも適用することができる。また、建物の構造としては、鉄骨造でもコンクリート造でもよい。図において、３は電磁波シールドガラス窓、１は導電性金属パネル部分を示す。
【００３８】
鉄骨造建物の連続した所定の階を電磁波シールド空間とする場合を示すのが図５であり、コンクリート造建物の連続した所定の階を電磁波シールド空間とする場合を示すのが図６である。このように連続した所定の階を電磁波シールド空間とする場合、外壁に対する作業の他は、最下階の床スラブ１２ａ及び最上階の天井スラブ１２ｂに電磁波シールド材２を取り付け、外壁に取り付けられた部材、導電性金属パネル１、窓枠、電磁波シールドガラス３と電気的に接続すれば足りる。ただ、新たに建物を建築するについて、電磁波シールド空間とする階が定まらない場合は、後日の作業を容易にするため、全ての床スラブ及び屋上スラブに電磁波シールド材を取り付けておくことができる。
【００３９】
＜開口部が備わる外壁に対する作業＞
建物外壁に図１及び図２に示したような開口部３が備わる場合、建物側面の作業としては、図７及び図２０に示すように、建物の外壁を、カーテンウォール用の金属パネル１で覆い、外壁に備わる開口部３に、金属製のガラス支持枠４を取り付け、このガラス支持枠４に電磁波シールドガラス５を取り付ける。
【００４０】
この作業は、既存の建物、新築建物あるいは外壁のある、なしで異ならない。ただ、既存の建物について既に金属パネル等が使用されている場合は、既存の金属パネルを利用してもよい。
【００４１】
＜金属パネル・ガラス支持部材と電磁波シールド材の接続＞
そして、前記金属パネル１・前記ガラス支持枠４と前記電磁波シールド材２は、以下のように取り付けられる。
【００４２】
まず、建物が鉄骨造の場合は、図７及び図９に示すように、電磁波シールド材２として、床スラブ１２ａ（天井スラブについては、屋上以外においては、床スラブと同様である。なお、屋上部の作業は後述する。）に備わるデッキプレート１３を利用する。このデッキプレート１３は、コンクリート止め１４及び導電体２０を介し、金属パネル１・ガラス支持枠４と電気的に接続する。この点、前記導電体２０を、図８に示すように、床スラブ１２ａの途中でデッキプレート１３と接続するよう構成してもよいが、この方法だと、床スラブ１２ａを中間で切る必要が生じ、構造的に難しいものとなる。したがって、コンクリート止め１４を利用した形態が望ましい。
【００４３】
他方、建物がコンクリート造の場合は、図１０及び図２０に示すように、床スラブ１２ａの表面に電磁波シールド材２を貼り付け、この電磁波シールド材２は、導電体２０を介し、金属パネル１・ガラス支持枠４と電気的に接続する。
【００４４】
この場合、電磁波シールド材２としては、金属製シートや金属製不織布などを、導電体２０としては、金属メッシュ、金属膜、金属製不織布などを使用できる。
【００４５】
＜屋上部の作業＞
以上に対し、電磁波シールド空間とする階として、建物最上階を含む場合は、床スラブあるいは天井スラブに対する作業の場合と異なり、屋上スラブに対する作業として次のような作業を行う。
【００４６】
特に、本実施の形態では、まず、図１１、図１２及び図２１に示すように、前記金属パネル１と、電磁波シールド材２の他、屋上階パラペット導電性金属笠木１５を利用する場合を示す。この場合、金属パネル１と屋上階パラペット金属笠木１５との目地間、及び屋上階パラペット金属笠木１５と電磁波シールド材２との目地間には、それぞれ導電性の目地材６を備え、電気的に接続する。
【００４７】
図１１及び図２１は、屋上スラブ外断熱工法に対応するものであり、屋上スラブ１２ｃ直上に断熱層１８を設ける場合である。この場合は、建物が鉄骨造の場合（図１１）、あるいはコンクリート造の場合（図２１）、いずれにおいても断熱層１８の上に電磁波シールド材２を貼り付け、その上から防水層及び押さえコンクリート１７を設けることになる。
【００４８】
他方、図１２は、屋上スラブ内断熱工法に対応するものであり、屋上スラブ１２ｃ直下に断熱層１８を設ける場合である。この場合は、屋上スラブ１２ｃに直接、電磁波シールド材２を貼り付け、その上から防水層及び押さえコンクリート１７を設けることになる。
【００４９】
屋上スラブ外断熱工法、屋上スラブ内断熱工法いずれの場合においても、押さえコンクリート１７の上に電磁波シールド材２を貼り付けることが考えられるが、この方法だと耐候性上、上部に何らかの保護材が必要となる。また、押さえコンクリート１７を設けない露出防水によるのであれば、屋上スラブ１２ｃに直接、電磁波シールド材２を貼り付け、その上にから露出防水処理を施すことになる。
【００５０】
以上の他にも屋上部の作業としては、種々の形態が考えられるが、例えば、図１３に示すように、鉄骨造の屋根を折板１９とする場合は、この折板１９と屋上階パラペット金属笠木１５との目地間に、導電性の目地材６を備え、電気的に接続する。
【００５１】
以上で使用する目地材６としては、導電性カーボンを混入したシリコンシーリング、導電性を有するシリコン系のガスケット、又は、金属メッシュを巻き込んだバッカー、又は、金属膜、又は、金属不織布等がある。
【００５２】
＜金属パネルどうしの接続＞
ところで、前記金属パネル１は、１枚で外壁全てを覆うということが困難であるため、実際には、複数枚を接続して建物外壁全体を覆うことになる。
【００５３】
そこで、金属パネル１どうしの接続の方法であるが，まず、金属パネル１として、切板タイプのものを使用する場合は、図１４及び図１５に示すように、金属パネル１，１に、金属四方枠２１，２１を取り付け、金属四方枠２１，２１の目地間にシール材４１と導電性バッカー材４３及び、導電性ガスケット４５を備える。これにより、金属パネル１，１が電気的に接続される。また、シール材４１と導電性バッカー材４３により水密性が、導電性ガスケット４５により気密性が確保される。
【００５４】
他方、金属パネル１として、曲げ板タイプのものを使用する場合は、図１７及び図１８に示すように、弁当箱状に曲げられた金属パネル１，１の目地間にシール材４１と導電性バッカー材４３を、目地底に導電性ガスケット４５を備える。これによる効果は、金属パネル１として、切板タイプのものを使用する場合と同様である。
【００５５】
＜金属パネルとガラス支持部材の接続＞
このように電気的に接続される金属パネル１は、さらに開口部に備わるガラス支持枠４と以下のように接続する。
【００５６】
まず、金属パネル１として、切板タイプのものを使用する場合は、図１６に示すように、金属パネル１に、金属四方枠２１を取り付け、この金属四方枠２１とガラス支持枠４の目地間にシール材４１と導電性バッカー材４３及び、導電性ガスケット４５を備える。これにより、金属パネル１とガラス支持枠４が電気的に接続される。また、シール材４１と導電性バッカー材４３により水密性が、導電性ガスケット４５により気密性が確保される。
【００５７】
他方、金属パネル１として、曲げ板タイプのものを使用する場合は、図１９に示すように、弁当箱状に曲げられた金属パネル１とガラス支持枠４との目地間に、シール材４１と導電性バッカー材４３を、目地底に導電性ガスケット４５を備える。これによる効果は、金属パネル１として、切板タイプのものを使用する場合と同様である。
【００５８】
＜ガラス支持部材と電磁波シールドガラスの接続＞
このようにして金属パネル１と接続されるガラス支持枠４は、さらに電磁波シールドガラス５と接続する。
【００５９】
まず、ガラス支持構造を乾式とする場合は、図３２に示すように、電磁波シールドガラス５の床側端部に導電性シート４４を、建物室外側に導電性ガスケット４５を設ける。これにより、電磁波シ−ルドガラス５とガラス支持枠４とが、導電性シート４４と、導電性ガスケット４５を介して、電気的に接続される。また、導電性ガスケット４５により、水密性が確保される。
【００６０】
他方、ガラス支持構造を湿式とする場合は、図３３及び図３４に示すように、電磁波シールドガラス５の床側端部に導電性シート４４を、建物室外側に導電性ガスケットスペーサー４６を設ける。これにより、電磁波シ−ルドガラス５とガラス支持枠４とが、導電性シート４４と、導電性ガスケットスペーサー４６を介して、電気的に接続される。
【００６１】
以上で使用する電磁波シールドガラス５としては、複層ガラスにおいて、内側ガラスの室外面、外側ガラスの室内面、あるいはこれらの各面に、電磁波シールド性を示す金属膜を施したもの、合わせガラスの中間層に電磁波シールドシートを挟み込んだもの、一般ガラスの室内面に電磁波シールド性フィルムを設けたものなどを挙げることができるが、これらの例示に限定されるものではない。
【００６２】
＜外壁としてガラスカーテンウォールを使用する方法＞
以上では、外壁に金属パネルを取り付ける場合を示したが、この他にも、外壁として電磁波シールドガラスからなるカーテンウォールを使用するということが考えられる。
【００６３】
この場合、建物側面の作業としては、図３５及び図３６に示すように、電磁波シールドガラス５を、導電性ガスケット４５で固定するということになる。
【００６４】
他方、カーテンウォールとして電磁波シールドガラスを使用する場合において、一部の電磁波シールドガラスを開閉式としたい場合は、図３７及び図３８に示すように、開閉式の電磁波シールドガラス５を導電性ガスケット４５で固定し、さらに、無目材２３と障子框２２、障子框２２と縦枠２４、及び縦枠２４と方立２７との目地間に、気密性を持った導電性ガスケット４５，４５，４５を備える。
【００６５】
＜単窓として取り付ける構造＞
また、導電性金属パネルに開口部を設け、ガラス支持枠と電磁波シールドガラス５により、窓を構成できる。この場合、図３９及び図４０に示すように、金属パネル１６と金属製のガラス支持枠４との目地間に、シール材４１と導電性バッカー材４３を備える。これにより、金属パネル１６とガラス支持枠４とが電気的に接続される。
【００６６】
また、このガラス支持枠４は、電磁波シールドガラス５を固定する導電性ガスケット４５によって、電磁波シールドガラス５と電気的に接続される。
【００６７】
＜並列窓とする方法＞
ところで、以上で使用する電磁波シールドガラスは、電磁波シールド性が４０ｄｂ以上の高性能のものである必要があるが、以下では、電磁波シールド性が２５ｄｂ〜３０ｄｂ程度の低性能のものである場合を示す。
【００６８】
この場合は、図４１及び図４２に示すように、低性能電磁波シールドガラス３１を２枚平行並列に設置することにより、電磁波シールド性能を向上させる。低性能電磁波シールドガラス３１，３１に備わる電磁波シールド処理面３１ａ，３１ａと金属製のガラス支持枠４、障子框２２の目地間には、導電性ガスケット４５，４５が備わる。これによって、低性能電磁波シールドガラス３１，３１とガラス支持枠４、障子框２２とは、電気的に接続される。
【００６９】
そして、この場合、室内側の低性能電磁波シールドガラス３１は、メンテナンス用に、片開き式、あるいは内上げ式等の開閉式としておくことを推奨する。その方法としては、低性能電磁波シールドガラス３１に備わる電磁波シールド処理面３１ａと障子框２２との目地間に、気密性能をもった導電性ガスケット４５を備える。これによって、低性能電磁波シールドガラス３１と障子框２２は電気的に接続される。そして、この障子框２２もまた、導電性ガスケット４５によって、下枠２６及び縦枠２４と電気的に接続される。
【００７０】
現状において、電磁波シールド性が４０ｄｂ以上の高性能の電磁波シールドガラスは、製造工程の複雑さから非常に高価なものとなっている。したがって、本形態のように低性能電磁波シールドガラスをある距離をおいて並列に設置すれば、安価に４０ｄｂ以上の電磁波シールド性を確保することができる。また、内部にブラインド３２を設置することでオフィス，病院などの窓際空間の負荷を低減できる。さらに、ガラスが２重に設置されているため遮音効果も期待できる。
【００７１】
＜外壁構造を耐火式とする方法＞
外壁構造を耐火式とする場合は、図４３及び図４４に示すように、開口部に設けるガラスを一般ガラス３３とすることができる。この場合、硅酸カルシウム板、ロックウール等からなる耐火材３４に、アルミ、スチール、ステンレス等からなる金属パネル１を取り付け、これを電磁波シールドパネルとして、一般ガラス３３の裏面に配置する。そして、この電磁波シールドパネルは、導電性ガスケット４５によって、方立２７及び無目材２３，２３と電気的に接続する。
【００７２】
前記電磁波シールドパネルとしては、図４５及び図４６に示すように、耐火材３４の表面に電磁波シールドシート２９及び電磁波シールドテープ３０を貼ったものを使用してもよい。
【００７３】
＜アルミ製窓枠について＞
本実施の形態で使用するアルミ製ガラス支持部材（ガラス支持枠４）は、図２６に示すように、電磁波シールドガラスを嵌め込む部分に、型材の長手方向に沿って平行に２条の薄肉部３５Ａ，３５Ａを形成することで剥ぎ取り部３５を形成しておき、ガラス支持枠４表面にアルマイト皮膜（焼き付け塗装でもよい）等の通常の表面処理を加えたものである。しかしながら、中空部は表面処理に際してアルマイト皮膜が生成されないので、このガラス支持枠４は、使用時において剥ぎ取り部３５を剥ぎ取ると、アルミ素地に近い高電通面３６を生じる。この剥ぎ取り部３５は、図２７に示すように、導電性ガスケットを嵌め込む部分にも、また、図２８に示すように、電磁波シールド材を嵌め込む部分にも設けるのが好適である。
【００７４】
図２６に示すガラス支持枠４に電磁波シールドガラスを嵌め込む場合は、図２９に示すように、電磁波シールドガラス５の床側端部に導電性シート４４を備え、さらに、この導電性シート４４とガラス支持枠４の間に導電性ガスケット４５を備える。これにより、電磁波シールドガラス５とガラス支持枠４とが、導電性シート４４、導電性ガスケット４５及びアルミ枠の素地に近い高電通面３６とによって、電気的に接続される。また、図２７に示すガラス支持枠４に電磁波シールドガラスを埋め込む場合は、図３０に示すように、電磁波シールドガラス５とガラス支持枠４とを、電磁波シールドガラス５の床側端部に備わる導電性シート４４と、導電性ガスケット４５と、アルミ枠の素地に近い高電通面３６とによって、電気的に接続する。さらに図２８に示すガラス支持枠４に電磁波シールドガラス５を埋め込んだ場合は、図３１に示すように、電磁波シールド材２とガラス支持枠４とを、アルミ枠の素地に近い高電通面３６と、導電性ガスケット４５とによって電気的に接続する。
【００７５】
＜ガスケットの形態について＞
図２２〜２５は、曲げ板タイプの金属パネルどうしを接続する場合に使用する導電性ガスケットの形態と現場接続部の形状を示す。導電性ガスケット４５は＋型、Ｔ型形成材を用いて、工場にて一体接続し、図２２に示すような網目状形態とする。ガスケットの端部であり現場において接続する部分は、図２３に示すように、導電性のシリコンなどの導電体によって凹形状と凸形状となっており、接続後は図２４に示すように、２つのガスケットの端部が嵌合し一体となる。図２５は、この導電性ガスケット４５によって、金属パネル１，１を導電状態に接続した場合を示すものである。
【００７６】
【実施例】
アルミパネルと、アルミ製のガラス支持部材についてアルマイト処理（１４μ以上）、またはアルミの複合皮膜（９＋７μ）の皮膜処理後のものとを使用して、アルミパネル目地間、アルミパネルとアルミ製ガラス支持部材との目地間を導電性目地材にて接続した場合、表１〜表４に示すように、２００ＭＨＺ〜３ＧＨＺにおいて４０ｄｂ〜５０ｄｂの電磁波シールド性能を確保できることを確認した（表１〜表４参照）。
【００７７】
【表１】
2001248247.tif 000001
【００７８】
【表２】
2001248247.tif 000002
【００７９】
【表３】
2001248247.tif 000003
【００８０】
【表４】
2001248247.tif 000004
【００８１】
【発明の効果】
以上のとおり、本発明によれば、個別空間ごと電磁波シールド空間を構成するのではなく、しかも内装型でなく、外装型とするものであるから、建造物全体や、階層建物の少なくとも複数階全体を電磁波シールド空間として構築することが容易にでき、コストを削減でき、工期を短縮できるようになる。
【００８２】
また、導電性を確保するに際して、外壁部分の構造に工夫を施し、簡易にかつ施工性に優れた施工が可能となる。
【図面の簡単な説明】
【図１】
階層建物の全体を電磁波シールド空間とした場合の概念斜視図である。
【図２】
階層建物の連続する複数階を電磁波シールド空間とした場合の概念斜視図である。
【図３】
階層建物の全体を電磁波シールド空間とした場合の概念縦断面図である。
【図４】
階層建物の連続する複数階を電磁波シールド空間とした場合の概念縦断面図である。
【図５】
鉄骨造階層建物の連続する複数階を電磁波シールド空間とした場合の概念縦断面図である。
【図６】
コンクリート造階層建物の連続する複数階を電磁波シールド空間とした場合の概念縦断面図である。
【図７】
鉄骨造建物を電磁波シールド空間とする場合の、最下階の床スラブ部分と外壁部分との接続を示した概念斜視図である。
【図８】
鉄骨造建物の電磁波シールド空間とする最下階の床スラブ部分と外壁部分との接続について、床スラブを切断する場合を示した縦断面図である。
【図９】
鉄骨造建物の電磁波シールド空間とする最下階の床スラブ部分と外壁部分との接続について、コンクリート止めを利用した場合を示した縦断面図である。
【図１０】
コンクリート造建物の電磁波シールド空間とする最下階の床スラブ部分と外壁部分との接続について示した縦断面図である。
【図１１】
鉄骨造建物の屋上部の処理について、屋上スラブ外断熱工法とする場合の縦断面図である。
【図１２】
鉄骨造建物の屋上部の処理について、屋上スラブ内断熱工法とする場合の縦断面図である。
【図１３】
屋上部の処理について、鉄骨造の屋根が折板の場合の縦断面図である。
【図１４】
切り板タイプの金属パネルどうしの接続を示した縦断面図である。
【図１５】
切り板タイプの金属パネルどうしの接続を示した横断面図である。
【図１６】
切り板タイプの金属パネルとガラス支持部材の接続を示した縦断面図である。
【図１７】
曲げ板タイプの金属パネルどうしの接続を示した縦断面図である。
【図１８】
曲げ板タイプの金属パネルどうしの接続を示した横断面図である。
【図１９】
曲げ板タイプの金属パネルとガラス支持部材の接続を示した縦断面図である。
【図２０】
コンクリート造建物を電磁波シールド空間とする場合の、最下階の床スラブ部分と外壁部分との接続を示した概念斜視図である。
【図２１】
コンクリート造建物の屋上部の処理を示した縦断面図である。
【図２２】
曲げ板タイプの金属パネルどうしを接続する場合に用いる導電性ガスケットを示した断面図である。
【図２３】
曲げ板タイプの金属パネルどうしを接続する場合に用いる導電性ガスケットの接続部分を示した断面図である。
【図２４】
曲げ板タイプの金属パネルどうしを接続する場合に用いる導電性ガスケットを接続した場合の断面図である。
【図２５】
曲げ板タイプの金属パネルどうしを導電性ガスケットで接続した場合の断面図である。
【図２６】
電磁波シールドガラスが嵌合する部分を高電通面とした、金属製のガラス支持部材を示した断面図である。
【図２７】
導電性ガスケットが嵌合する部分を高電通面とした、金属製のガラス支持部材を示した断面図である。
【図２８】
電磁波シールド材が嵌合する部分を高電通面とした、金属製のガラス支持部材を示した断面図である。
【図２９】
図２６のガラス支持部材に電磁波シールドガラスを取り付けた場合を示す縦断面図である。
【図３０】
図２７のガラス支持部材に導電性ガスケットを取り付けた場合を示す縦断面図である。
【図３１】
図２８のガラス支持部材に電磁波シールド材を取り付けた場合を示す縦断面図である。
【図３２】
乾式のガラス支持部材に電磁波シールドガラスを取り付けた場合を示す縦断面図である。
【図３３】
湿式のガラス支持部材に電磁波シールドガラスを取り付けた場合を示す縦断面図である。
【図３４】
湿式のガラス支持部材に電磁波シールドガラスを取り付けた場合を示す縦断面図である。
【図３５】
外壁をガラスカーテンウォールとする場合を示す縦断面図である。
【図３６】
外壁をガラスカーテンウォールとする場合を示す横断面図である。
【図３７】
外壁を開閉式ガラスカーテンウォールとする場合を示す縦断面図である。
【図３８】
外壁を開閉式ガラスカーテンウォールとする場合を示す横断面図である。
【図３９】
外壁を金属パネルとする場合を示す縦断面図である。
【図４０】
外壁を金属パネルとする場合を示す横断面図である。
【図４１】
電磁波シールドガラスを並列に備える場合を示す縦断面図である。
【図４２】
電磁波シールドガラスを並列に備える場合を示す横断面図である。
【図４３】
外壁を金属パネルと耐火材からなる電磁波シールドパネルとした場合を示す縦断面図である。
【図４４】
外壁を金属パネルと耐火材からなる電磁波シールドパネルとした場合を示す横断面図である。
【図４５】
外壁を電磁波シールドシートと耐火材からなる電磁波シールドパネルとした場合を示す縦断面図である。
【図４６】
外壁を電磁波シールドシートと耐火材からなる電磁波シールドパネルとした場合を示す横断面図である。
【図４７】
従来例の電磁波シールド空間を構成する場合の概念縦断面図である。
【符号の説明】
１…導電性金属パネル、２…電磁波シールド材、３…電磁波シールドガラス窓（開口部）、４…ガラス支持枠（ガラス支持部材）、５…電磁波シールドガラス、６…導電性目地材、１１…窓、１２ａ…床スラブ、１２ｂ…天井スラブ、１２ｃ…屋上スラブ、１３…デッキプレート、１４…コンクリート止メ、１５…屋上階パラペット金属笠木、１６…金属パネル、１７…押さえコンクリート、１８…断熱層、１９…折板、２０…導電体、２１…金属四方枠、２２…障子框、２３…無目材、２４…縦枠、２５…上枠、２６…下枠、２７…方立、２９…電磁波シールドシート、３０…電磁波シールドテープ、３１…低性能電磁波シールドガラス、３１ａ…電磁波シールド処理面、３２…ブラインド、３３…一般ガラス、３４…耐火材、３５…剥ぎ取り部、３６…高電通面、４１…シール材、４３…導電性バッカー材、４４…導電性シート、４５…導電性ガスケット、４６…導電性ガスケットスペーサー。
【手続補正２】
【補正対象書類名】図面
【補正対象項目名】図１３
【補正方法】変更
【補正の内容】
【図１３】
2001248247.tif 000005